(57)【要約】【課題】剛性の高い金属製支持部材の中空部の寸法サイズが異なっていても、支持部材の両端部の中空部に緊密に装着可能なキャップ部材を提供する。【解決手段】陳列ユニットの両側部の支柱に係止可能なブラケット９に、断面四角形状の中空金属製支持体５が横方向に保持又は支持され、支持体５の両端部には金属製キャップ部材６が装着される。キャップ部材６は、上壁部７ａと両側壁部７ｂとで断面コ字状に形成された装着部７と、上壁部７ａよりも突出して形成されたストッパ部１０と、上壁部７ａにおいてストッパ部１０側が立ち上がった複数の第１の弾性片８ａ，８ｂと、両側壁部７ｂにおいてストッパ部１０側が立ち上がった複数の第２の弾性片９ａ，９ｂとを備えている。装着部７の先端部側の弾性片８ａ，９ａよりもストッパ部１０側の弾性片８ｂ，９ｂの長さが短く形成されている。【選択図】図３
2010046273.tif 000002
【特許請求の範囲】
【請求項１】
棒状支持体の少なくとも一方の端部の中空部に装着可能な装着部と、この装着部の一方の端部に形成されたストッパ部とを備えたキャップ部材であって、前記装着部の周方向に間隔をおいて形成され、かつ前記装着部の軸方向に延び、ストッパ部側が立ち上がった複数の弾性片を備えているキャップ部材。
【請求項２】
装着部の上下両壁部のうち少なくとも一方の壁部においてストッパ部側が立ち上がった第１の弾性片と、前記装着部の両側壁部のうち少なくとも一方の側壁部においてストッパ部側が立ち上がった第２の弾性片とを備えている請求項１記載のキャップ部材。
【請求項３】
装着部の軸方向に間隔をおいて複数の弾性片が形成されている請求項１又は２記載のキャップ部材。
【請求項４】
装着部の上壁部において前記装着部の軸方向に間隔をおいて起立して形成された複数の第１の弾性片と、装着部の両側壁部において、それぞれ、装着部の軸方向に間隔をおいて起立して形成された複数の第２の弾性片とを備えており、前記装着部の先端部側の弾性片よりもストッパ部側の弾性片の曲げ力が大きい請求項１〜３のいずれかに記載のキャップ部材。
【請求項５】
断面四角形状の中空部を有する金属製支持体の少なくとも一方の端部に装着するための金属製キャップ部材であって、上壁部と両側壁部とで断面コ字状に形成された装着部と、この装着部の一方の端部に前記上壁部よりも突出して形成されたストッパ部と、前記上壁部において前記装着部の後端部方向に向かって舌片状に起立して形成された複数の第１の弾性片と、前記両側壁部において前記装着部の後端部方向に向かって舌片状に起立して形成された複数の第２の弾性片とを備えており、装着部の先端部側の弾性片よりもストッパ部側の弾性片の軸方向の長さが短く形成されている請求項１〜４のいずれかに記載のキャップ部材。
【請求項６】
装着部に装着可能なリング状部材を備えている請求項１〜５のいずれかに記載のキャップ部材。
【請求項７】
装着部の側壁に凸部が形成されている請求項１〜６のいずれかに記載のキャップ部材。
【請求項８】
陳列ユニットの両側部の支柱に係止可能であるとともに支持体を横方向に保持可能な保持部を有するブラケットと、このブラケットに保持された前記支持体の両端部に装着可能な請求項１〜７のいずれかに記載のキャップ部材とを備えている陳列ユニット。
【請求項９】
さらに、ブラケットに保持された支持体に装着可能であり、かつ前記支持体の軸方向に対して直交する方向に延出するフックバーを備えている請求項８記載の陳列ユニット。
【発明の詳細な説明】
【技術分野】
【０００１】
本発明は、商品の陳列ケース、キャビネット、ハンガーラックなどの陳列ユニット（又は陳列構造）において棒状支持部材に装着可能なキャップ部材及びそれを用いた陳列ユニットに関する。
【背景技術】
【０００２】
陳列棚、キャビネットなどの陳列構造（又は陳列ユニット）は、両端部の支柱と、この支柱に装着可能なブラケットと、これらのブラケットの装着孔に装着又は挿通可能な支持部材と、この支持部材の両端部に装着され、前記支持部材の抜け止め用キャップを備えている。このような陳列構造は、前記支持部材に装着可能であり、かつ前記支持部材から前方方向に延びるフック部材を備えており、このフック部材に、商品の包装体を係止し、陳列している。
【０００３】
このような陳列装置又は陳列棚として種々の構造が提案されている。特開２００１−３１４２９０号公報（特許文献１）には、棚装置の中空状支柱の上端を塞ぐカバー装置であって、前記支柱の上端部に横ずれ不能に嵌る合成樹脂製カバー体と、このカバー体に形成された上下貫通の挿入孔に上方から嵌る押し込み体とを備え、押し込み体をカバー体の挿入孔に嵌め入れることにより、カバー体が支柱から抜け不能に保持される棚装置の支柱のカバー装置が記載されている。
【０００４】
特開２０００−４１７７４号公報（特許文献２）には、前端縁又は後端縁に合成樹脂製のエッジを装着した金属板製の棚板であって、この棚板の前端縁又は後端縁と棚板の側縁とに下向きの折り曲げ部をそれぞれ形成し、前記エッジを、前記棚板の前端縁又は後端縁の折り曲げ部の長手方向に対して直交した方向から押し込み装着しうる断面形状に形成し、このエッジの左右端部のうちいずれか一方又は両方に、前記棚板における側縁の折り曲げ部の内側面に向けて延びるストッパ部を形成した、エッジを備えた棚板が開示されている。この棚板では、ストッパ部が棚板の側縁に設けた折り曲げ部に内部からつかえた状態になるため、左右方向にずれるのを阻止でき、エッジが棚板にずれ不能に取り付けることができる。特許文献２には、エッジの端部には、エッジとは別体のキャップが装着されており、このキャップに、エッジの端部に左右外側から嵌る嵌合部と前記ストッパ部とを形成することも記載されている。
【０００５】
しかし、この構造では、エッジの寸法サイズが異なると、キャップの嵌合部のサイズも変更する必要がある。そのため、単一のキャップで寸法サイズの異なるエッジに対応できず、エッジの寸法サイズに対応させた多数のキャップを準備する必要がある。
【０００６】
なお、キャップとしてアルミニウム又は亜鉛ダイカスト製キャップなどの金属製キャップやプラスチック製キャップが知られている。しかし、金属製キャップでは、剛性が大きいため、単一のキャップで寸法サイズの異なるエッジに対応できず、プラスチック製キャップにおいて、緊密に装着するため、被装着体の寸法よりも若干大きく形成すると、装着が困難であるとともに、強引に装着するとキャップに割れが生じる。さらに、装着したキャップを一旦取り外すと、金属製キャップでは変形し、プラスチック製キャップでは割れが生じる。そのため、キャップを繰り返し使用できない。
【０００７】
なお、特開２００５−２４５９７３号公報（特許文献３）には、陳列棚の支柱に差し込むブラケットに取り付けるスペーサであって、ブラケットが、先端部に形成され、かつ支柱に対して係止可能な係止部と、長手方向に沿って形成された長孔とを備えており、スペーサが、前端に形成され、支柱に対する横ぶれを防止するためのフラップと、上端に形成され、支柱に対するストッパとを備えており、スペーサの締結具をブラケットの長孔に締結可能なスペーサが記載されている。
【特許文献１】特開２００１−３１４２９０号公報（特許請求の範囲、図５）
【特許文献２】特開２０００−４１７７４号公報（特許請求の範囲、図４）
【特許文献３】特開２００５−２４５９７３号公報（特許請求の範囲、図１）
【発明の開示】
【発明が解決しようとする課題】
【０００８】
従って、本発明の目的は、中空部の寸法サイズが異なっていても支持部材の両端部に緊密に装着可能なキャップ部材（又はキャップ構造）及び陳列ユニット（又は陳列装置）を提供することにある。
【０００９】
本発明の他の目的は、剛性の高い金属製であっても支持部材の両端部の中空部に緊密に装着可能なキャップ部材（又はキャップ構造）及び陳列ユニット（又は陳列装置）を提供することにある。
【００１０】
本発明のさらに他の目的は、支持部材の両端部にぐらつくことなく確実かつ有効に装着可能なキャップ部材（又はキャップ構造）及び陳列ユニット（又は陳列装置）を提供することにある。
【００１１】
本発明の別の目的は、支持部材から一旦取り外しても、繰り返し使用できるキャップ部材（又はキャップ構造）及び陳列ユニット（又は陳列装置）を提供することにある。
【００１２】
本発明のさらに別の目的は、支持部材の長さが若干異なっていたとしても適正な長さに調整可能なキャップ部材（又はキャップ構造）及び陳列ユニット（又は陳列装置）を提供することにある。
【課題を解決するための手段】
【００１３】
本発明者らは、前記課題を達成するため鋭意検討した結果、陳列ユニットに横設される支持体の両端部の中空部に装着可能な装着部と、装着部の端部に形成されたストッパ部とを備えた金属製キャップ部材において、前記装着部の上壁部及び／又は下壁部に、軸方向に間隔をおいてストッパ部側が起立した第１の弾性片を形成し、前記装着部の両側壁部に、軸方向に間隔をおいてストッパ部側が起立した第２の弾性片を形成すると、前記支持体の中空部の内径が変動したとしても、前記支持体の中空部への装着に伴って前記第１及び第２の弾性片が弾性的に変形するため、前記内径の変動を吸収した支持体の端部に装着できること、特に、前記装着部の軸方向に間隔をおいて複数の第１及び第２の弾性片を形成し、前記装着部の先端部側の弾性片よりもストッパ部側の弾性片の曲げ力（弾性力）を大きく形成すると、先端部側の弾性片を大きく弾性変形できるため、支持体の中空部の内径が変動しても、前記中空部に緊密かつ確実に装着できることを見いだし、本発明を完成した。
【００１４】
すなわち、本発明のキャップ部材は、棒状支持体の少なくとも一方の端部の中空部に装着可能な装着部と、この装着部の一方の端部に形成されたストッパ部とを備えたキャップ部材であって、前記装着部の周方向に間隔をおいて形成され、かつ前記装着部の軸方向に延び、ストッパ部側が立ち上がった複数の弾性片を備えている。キャップ部材は、前記装着部の上下両壁部のうち少なくとも一方の壁部においてストッパ部側が立ち上がった第１の弾性片と、前記装着部の両側壁部のうち少なくとも一方の側壁部においてストッパ部側が立ち上がった第２の弾性片とを備えていてもよい。
【００１５】
このようなキャップ部材（又はキャップ構造）では、支持部材の中空部への装着に伴って弾性片（屈曲片又はバネ片）が変形し、支持部材の中空部の寸法変化を吸収できる。そのため、支持部材の中空部の寸法サイズが異なっていても、キャップ部材の装着部を支持部材の端部内壁に密着できる。また、第１及び第２の弾性片ではストッパ部側が立ち上がっているため、キャップ部材の抜けを防止する。
【００１６】
前記キャップ部材において、装着部の軸方向には、間隔をおいて複数の弾性片（第１及び第２の弾性片など）を形成してもよい。また、第１の弾性片は装着部の上壁部及び／又は下壁部に形成してもよく、第２の弾性片は、装着部の両側壁部に形成してもよい。例えば、装着部の上壁部では前記装着部の軸方向に間隔をおいて起立して複数の第１の弾性片を形成し、装着部の両側壁部では、それぞれ、装着部の軸方向に間隔をおいて起立して複数の第２の弾性片を形成してもよい。このような複数の弾性片を有するキャップ部材では、キャップ部材の装着部の複数箇所を支持部材の端部内壁に密着でき、キャップ部材は複数箇所で支持された状態となり、安定かつ緊密に装着される。また、弾性片の弾性変形を利用して装着するため、支持部材から取り外されたキャップ部材には変形や割れが生じることがない。そのため、キャップ部材を繰り返し使用できる。
【００１７】
装着部の軸方向の異なる位置に形成された複数の第１及び第２の弾性片において、前記装着部の先端部側の弾性片とストッパ部側の弾性片とは、曲げ力（弾性力）が同じであってもよく、異なっていてもよい。前記装着部の先端部側の弾性片よりもストッパ部側の弾性片の曲げ力（変形応力）を大きく形成する（変形度を小さくする）と、先端部側の弾性片が変形し易いため、装着が容易であるとともに、ストッパ部側の弾性片が変形しにくいため、キャップ部材を強固に装着できる。
【００１８】
なお、支持部材は、断面四角形状の中空部を有する金属製支持体であってもよく、キャップ部材は、金属製キャップ部材であってもよい。また、装着部を上壁部と両側壁部とで断面コ字状に形成し、この装着部の一方の端部に前記上壁部よりも突出してストッパ部を形成してもよい。さらに、前記上壁部において前記装着部の後端部方向に向かって舌片状に起立して複数の第１の弾性片（又は前記装着部の先端部方向に向かって下降又は狭まって（又は先細状に）傾斜し起立した弾性片）を形成し、前記両側壁部において前記装着部の後端部方向に向かって舌片状に起立して複数の第２の弾性片（又は前記装着部の先端部方向に向かって下降又は狭まって（又は先細状に）傾斜し起立した弾性片）を形成してもよい。このような構造のキャップ部材では、断面コ字状の壁部（両側壁部など）に弾性片を形成しているため、装着に伴って壁部も変形し、弾性変形の程度を大きくできる。また、複数の第１及び第２の弾性片により支持部材の中空部の内壁に対してキャップ部材の装着部を安定かつ緊密に装着できる。さらに、上壁部に弾性片を形成すると、支持部材の中空部への装着に伴って、弾性片が変形して装着部及びストッパ部には下方に押さえ付ける力が作用する。そのため、ストッパ部の下端面と支持部材の下端面とを沿わせて面一に位置させることができる。
【００１９】
具体的には、本発明のキャップ部材は、例えば、断面四角形状の中空部を有する金属製支持体の少なくとも一方の端部（一方の端部又は両端部）に装着するための金属製キャップ部材であって、上壁部と両側壁部とで断面コ字状に形成された装着部と、この装着部の一方の端部に前記上壁部よりも突出して形成されたストッパ部と、前記上壁部において前記装着部の後端部方向に向かって舌片状に起立して形成された複数の第１の弾性片（又は先端部方向に向かって狭まった先細状の形態で傾斜し起立した複数の第１の弾性片）と、前記両側壁部において前記装着部の後端部方向に向かって舌片状に起立して形成された複数の第２の弾性片（又は前記装着部の先端部方向に向かって狭まった先細状の形態で傾斜し起立した複数の第２の弾性片）とを備えており、装着部の先端部側の弾性片よりもストッパ部側の弾性片の軸方向の長さが短く形成されているキャップ部材も包含する。
【００２０】
キャップ部材は、装着部に装着可能なリング状部材（例えば、装着部のうちストッパ部の内側に装着可能なリング状部材）を備えていてもよい。また、装着部の側壁には凸部を形成してもよい。
【００２１】
本発明は、前記キャップ部材を備えた陳列ユニット（又は陳列装置若しくは陳列構造）も包含する。この陳列ユニットは、例えば、陳列ユニットの両側部の支柱に係止可能であるとともに支持体を横方向に保持又は支持可能な保持部を有するブラケットと、このブラケットに保持又は支持された前記支持体の両端部に装着可能な前記キャップ部材とを備えていてもよい。また、陳列ユニットは、さらに、前記ブラケットに保持された前記支持体に装着可能であり、かつ前記支持体の軸方向に対して直交する方向に延出するフックバーを備えていてもよい。
【００２２】
なお、本明細書において「弾性片」はゴム弾性を有していてもよいが、通常、バネ弾性（硬いゴム弾性を含む）を有している。また、「弾性片」の自由端は壁部から離れて遊離している。そのため、「弾性片」を「バネ片」「屈曲片」「起立片」「弾性起立片」という場合がある。
【発明の効果】
【００２３】
本発明では、前記弾性片（又は屈曲片）を装着部に形成するため、支持部材の中空部の寸法サイズ（内寸）が変動したとしても支持部材の両端部に緊密に装着できる。また、寸法サイズ（内寸）の変動を弾性片の変形で吸収できるため、剛性の高い金属製であっても支持部材の両端部に緊密に装着できる。また、装着部の軸方向に複数の弾性片を形成したり、装着部の側壁部に凸部を形成すると、支持部材の両端部にぐらつくことなく確実かつ有効に装着できる。さらに、装着部に装着可能なリング状部材を備えていると、リング部材をスペーサとして機能させることができ、支持部材の長さが若干異なっていたとしても適正な長さに調整できる。そのため、本発明のキャップ部材（又はキャップ構造）は陳列ユニット（又は陳列ケース、陳列装置、陳列構造）を形成するのに有用である。
【発明を実施するための最良の形態】
【００２４】
図１は本発明のキャップ部材を備えた陳列ユニットを示す概略斜視図であり、図２は図１の陳列ユニットを示す概略斜視図であり、図３は図１のキャップ部材を示す概略斜視図である。
【００２５】
図１に示す陳列ユニットは、基礎部１の両側部の支柱２ａ，２ｂと、この支柱に沿って取り付けられ、縦方向に複数の係合部を有する係合部材３ａ，３ｂと、この係合部材に対して係止片が係合可能であり、かつ挿通孔が形成されたプレート状のブラケット４と、このブラケットの挿通孔に挿通可能であり、かつブラケット４により横方向に保持又は支持された断面四角形状の中空部を有する金属製棒状支持部材５と、この支持部材の両端部に装着可能な金属製キャップ部材６と、前記支持部材に対して回動不能に装着可能であり、かつ前記支持体５の軸方向に対して直交する前方向に延出するフックバー１１とを備えている。この例では、陳列ユニットの高さ方向に所定間隔をおいて複数の支持部材５が横方向に架設されており、各支持部材５には複数のフックバー１１が装着可能である。前記フックバー１１は、上方から断面四角形状の支持部材に装着可能な断面コ字状の装着部１１ａと、この装着部から陳列ユニットの前方方向に延びる係止バー１１ｂとを備えている。このフックバー１１（係止バー１１ｂ）には、商品の包装体が掛止して陳列される。
【００２６】
このような支持部材５に関し、前記中空部の寸法サイズが同じであれば、支持部材５に対応したサイズのキャップ部材６を円滑に装着できる。しかし、通常、製造メーカーなどにより前記中空部の寸法サイズが異なる。特に、外寸は共通していても、軽量な商品の陳列では中空支持部材の肉厚を薄くし、重量な商品の陳列では中空支持部材の肉厚を厚くしている。そのため、商品の軽重により、中空支持部材の肉厚が異なるため、中空部の内寸も変動する。従って、単一のキャップ部材では、支持体の異なる内寸の中空部に対して緊密に装着できなくなる。
【００２７】
そこで、前記支持体５の両端部に装着可能なキャップ部材６は、上壁部７ａと両側壁部７ｂとで断面コ字状に形成された装着部７と、前記上壁部７ａにおいて軸方向に間隔をおいて形成された複数の第１の弾性片（屈曲片又はバネ片）８ａ，８ｂと、前記両側壁部７ｂにおいて、それぞれ、軸方向に間隔をおいて形成された複数の第２の弾性片（屈曲片又はバネ片）９ａ，９ｂと、前記装着部７の一方の端部に前記上壁部７ａよりも突出して形成されたストッパ部１０とを備えている。なお、第１及び第２の弾性片８ａ，８ｂ，９ａ，９ｂは、それぞれ前記装着部７の軸方向に延び、かつストッパ部１０側が立ち上がった形態で屈曲しており、前記装着部７の後端部方向（ストッパ部１０の方向）に向かって舌片状に起立して形成されている。すなわち、第１及び第２の弾性片８ａ，８ｂ，９ａ，９ｂは、前記装着部７の先端部方向に向かって径が狭まった先細状の形態で舌片状に起立している。より具体的には、上壁部７ａの第１の弾性片（屈曲片又はバネ片）８ａ，８ｂは、先端部側を残して上部壁７ａがコ字状に切り抜かれ（又は切り込まれ）、ストッパ部１０側が斜め上方向に起立した舌片状の形態を有している。また、前記両側壁部７ｂの第２の弾性片（屈曲片又はバネ片）９ａ，９ｂは、側壁部７ｂの下端部から側壁部７ｂの幅方向に延びて先端部方向に延びるＬ字状に切り抜かれ（又は切り込まれ）、ストッパ部１０側が斜め方向に起立した舌片状の形態を有している。また、複数の第１及び第２の弾性片８ａ，８ｂ，９ａ，９ｂは、ほぼ同じ幅に形成され、装着部７の先端部側の弾性片８ａ，９ａよりもストッパ部側の弾性片８ｂ，９ｂの軸方向の長さが短く形成されている。この例では、装着部７の先端部側の弾性片８ａ，９ａの軸方向の長さと、ストッパ部側の弾性片８ｂ，９ｂの軸方向の長さとの割合は、前者／後者＝６／４〜７．５／２．５程度の割合で形成されている。
【００２８】
このような複数の弾性片８ａ，８ｂ，９ａ，９ｂを有するキャップ部材６では、支持部材５の中空部への装着に伴って弾性片（屈曲片又はバネ片）８ａ，８ｂ，９ａ，９ｂが変形し、支持部材５の中空部の寸法変化を吸収できる。そのため、支持部材５の中空部の寸法サイズが異なっていても、弾性片（屈曲片又はバネ片）８ａ，８ｂ，９ａ，９ｂを利用してキャップ部材６の装着部７を支持部材５の端部内壁に密着できる。特に、キャップ部材６の装着部７の複数箇所を支持部材５の端部内壁に密着できるため、キャップ部材６は複数箇所で支持された状態となり、緊密かつ安定に装着される。さらに、弾性片（屈曲片又はバネ片）８ａ，８ｂ，９ａ，９ｂはストッパ部１０側が立ち上がっているため、キャップ部材６の抜けを有効に防止する。しかも、先端部側の弾性片８ａ，９ａの軸方向の長さが大きいため、装着に伴って変形し易く、装着が容易であるとともに、ストッパ部１０側の弾性片８ｂ，９ｂの軸方向の長さが小さく変形しにくいため、キャップ部材６を支持部材５の内壁に強固に装着できる。なお、ストッパ部１０が装着部７の端部で前記上壁部７ａよりも突出しているため、支持部材５の抜けを規制でき、ブラケット４から支持部材５が脱落することがない。さらに、上壁部７ａに弾性片８ａ，８ｂを形成しているため、支持部材５の中空部への装着と弾性片８ａ，８ｂの変形に伴って、装着部７及びストッパ部１０を下方に押さえ付ける力が作用する。そのため、ストッパ部１０の下端面と支持部材５の下端面とを沿わせて面一に位置させることができる。
【００２９】
また、陳列ユニットにおいて棒状支持体５を交換又は組み替えする場合、前記キャップ部材６と支持部材５との間隙やストッパ部１０を利用して、叩き操作などにより、キャップ部材６を取り外すことができる。なお、一方の端部のキャップ部材６を取り外した後、支持部材５の開放端から挿入した部材により他方の端部のキャップ部材６を押出又は叩き出すこともできる。そして、金属製キャップ部材６は弾性片８ａ，８ｂ，９ａ，９ｂの弾性変形を利用して装着しているため、取り外されたキャップ部材６には変形や割れなどが生じることがなく、繰り返し使用できる。
【００３０】
なお、陳列ユニット（陳列ケース、陳列装置）において、ブラケットが直接的又は間接的に支柱に対して係合可能である限り係合部材は必ずしも必要ではなく、例えば、支柱の縦方向に複数の係合部（係合孔など）を形成し、この係合部にブラケットを係止してもよい。また、ブラケットは支柱に係止又は取り付け可能であり、かつ支持体を保持可能であればよく、ブラケットの構造は特に制限されない。例えば、支持体に対するブラケットの保持構造は、挿通孔に限らず、ブラケットの上端部に形成され、かつ支持体が装着可能な装着又は収容凹部（受け部）、支持体を係止して保持又は支持可能な係止部（支持体に対するフック状係止部など）などを利用して支持体を保持又は支持してもよい。
【００３１】
支持体は横方向に配設可能であればよく、少なくとも端部が中空であればよく、全体に亘り中空であってもよい。支持体の断面形状は、支持体の周方向に回動が規制された状態でフックバーが装着可能であればよく、例えば、円形状、楕円形状、多角形状（三角形状、四角形状など）であってもよい。支持体の断面形状が非円形状であると、フックバーが支持体の周方向に回動するのを有効に規制できる。そのため、支持体の断面形状は、通常、非円形状、特に多角形状、なかでも四角形状である場合が多い。支持体としては、通常、断面四角形状の中空部を有する支持体が使用される。特に、機械的強度の点から金属製支持体を使用する場合が多い。なお、支持体の中空部の肉厚は、例えば、１〜１．８ｍｍ（例えば、１．２〜１．６ｍｍ）程度であってもよい。
【００３２】
なお、陳列ユニットにおいて、必要であれば、支持体で棚板を支持し、陳列棚を形成してもよい。棚板の支持は、例えば、支柱に架設された支持体と、ブラケットで支持された支持体とで支持してもよく、ブラケットで支持された複数の支持体（前方方向の異なる位置で横方向に延びる複数の支持体）で支持してもよく、支柱に形成された係止部に棚板を掛止しつつブラケットで支持された支持体で支持してもよい。
【００３３】
棚板などの商品を保持又は支持可能な部材を有する場合、フックバーは必ずしも必要できない。フックバーは、支持体の周方向に回動が規制された状態で前記支持体に装着可能であり、かつ前記支持体の軸方向に対して直交する方向に延出するバーであればよく、このバーの先端部は上方に湾曲又は屈曲していてもよい。また、延出バーは商品の包装体が掛止などにより配置できればよく、延出バーには、必要により、商品が延出バーの軸方向に位置ずれするのを規制するための規制部（規制凸部など）を所定間隔毎に形成してもよい。
【００３４】
本発明のキャップ部材は、プラスチック、金属などの種々の材料で形成できるが、緊密に装着するためには剛性の高い材料、特に金属製であるのが有利である。キャップ部材の装着部は、棒状支持体の少なくとも一方の端部の中空部に装着可能であればよいが、通常、支持体の両端部の中空部に装着可能である。
【００３５】
装着部の縦断面形状は、例えば、支持部材の断面形状に応じて、円形状、楕円形状、多角形状などであってもよい。また、装着部は非中空（中実）状であってもよいが、中空状であってもよい。特に、弾性を付与するとともに装着部の中空内壁に緊密に装着するため、中空状の装着部は、例えば、底部が開口した中空筒部、例えば、上壁部と両側壁部とで断面コ字状に形成された中空筒部で構成してもよく、上部が開口した中空筒部、例えば、下壁部と両側壁部とで断面コ字状に形成された中空筒部で構成してもよい。
【００３６】
装着部の弾性又はバネ弾性を向上させるため、中空状の装着部に周方向に間隔をおいて軸方向に延びる複数のスリットを形成し、複数の延出片状で構成された装着部を形成してもよい。例えば、断面四角形状の中空の装着部において各壁部の交差部に軸方向に延びるスリットを形成し、各壁部が周方向に遊離した装着部を形成してもよい。
【００３７】
また、ストッパ部は、装着部の一方の端部に形成すればよく、支持体の脱落を防止できる形態、例えば、装着部の端面よりも突出している。ストッパ部は、通常、上壁部よりも突出して形成されている。なお、ストッパ部の下端部は、前記支持体の下端部と同じ高さレベルに形成してもよく、弾性片の弾性変形に伴う変位を想定して前記支持体の下端部から上下方向に変位分だけずらしていてもよい。なお、金属製キャップ部材は、金属曲げ加工などにより形成した装着部とストッパ部とをスポット溶接などにより一体化することにより形成できる。
【００３８】
本発明のキャップ部材は、支持体の中空部の内壁に緊密に装着するため、前記装着部の周方向に間隔をおいて（又は周方向に異なる部位に）形成された複数の弾性片（バネ片）を備えている。複数の弾性片（バネ片）は装着部の周方向の同じ線上に形成してもよく、異なる周方向の線上に形成してもよい。キャップ部材において、前記装着部の周方向に間隔をおいて２つの弾性片を形成してもよいが、好ましい態様では、キャップ部材が支持体の軸方向に対して交差する方向にぐらつくのを抑制するため、前記装着部の周方向に間隔をおいて３以上（例えば、３〜４程度）の弾性片を形成するのが好ましい。装着部が断面四角形状（中空断面四角形状を含む）又は断面コ字状である場合、隣接する３つの壁部に弾性片（バネ片）を形成する場合が多い。このような形態において、装着部の上下両壁部のうち少なくとも一方の壁部（上壁部又は下壁部、若しくは両側壁部）、および前記装着部の両側壁部のうち少なくとも一方の側壁部（一方の側壁部又は両側壁部）にそれぞれ弾性片（バネ片）を備えている。弾性片は、前記装着部の上下両壁部のうち一方の壁部（上壁部又は下壁部）に形成する場合が多い。
【００３９】
図４は本発明のキャップ部材の他の例を示す概略斜視図である。なお、以下の例において、前記図１〜図３に示すキャップ部材と同様に機能する部材又は要素には図１〜図３と同一の符号を付す。この例では、下壁部１７ａと両側壁部１７ｂとで断面コ字状の装着部１７が形成され、装着部１７の下壁部１７ａには、前記第１の弾性片８ａ，８ｂと同様の形態で、軸方向に間隔をおいて舌片状の形態を有する複数の第１の弾性片（屈曲片又はバネ片）１８ａ，１８ｂが形成され、前記両側壁部１７ｂには、側壁部１７ｂの上端部から幅方向に延びて先端部方向に延びるＬ字状の切り抜き部を起立させて、舌片状の形態を有する複数の第２の弾性片（屈曲片又はバネ片）１９ａ，１９ｂを形成している。
【００４０】
このようなキャップ部材でも前記と同様に、支持体の中空部の寸法サイズが変動したとしても、支持体の中空部に対して装着部１７を緊密に装着できる。
【００４１】
装着部の上下両壁部のうち下壁部に弾性片を形成すると、支持体の中空部への装着に伴って、ストッパ部が上方に変位する。そのため、支持体の下端部に対してストッパ部の下端部を同じ高さ位置に形成しても、装着することにより、前記支持体の下端部に対してストッパ部の下端部が上方に位置ずれする。すなわち、前記支持体の下端部に対するストッパ部の下端部の位置は、装着後において、上下両壁部のうちいずれの壁部に弾性片を形成するのかによって変動する。そのため、前記支持体の下端部に対するストッパ部の下端部の高さ位置を、弾性片の変位量に対応させて上下方向に変位させ、装着後において、支持体の下端部とストッパ部の下端部とを位置あわせしてもよい。この点について、上壁部に弾性片を形成すると、支持部材の中空部への装着と弾性片の変形に伴って、ストッパ部を下方に押さえ付ける力が作用する。そのため、支持体の下端部に対するストッパ部の下端部の高さ位置を予め揃えていても、装着後においても、支持部材の下端面とストッパ部の下端面とを沿わせて面一に位置させることができる。
【００４２】
前記装着部の両側壁部において、弾性片は、少なくとも一方の側壁部に形成すればよく、他方の壁部には、支持体に対するキャップ部材の位置ずれ及びぐらつきを防止するため、支持体の中空部の内壁に接触可能な凸部などの接触部を形成してもよい。好ましい態様では、装着部の両側壁部に弾性片が形成される。
【００４３】
さらに、中空部に対して装着部を確実かつ安定な形態で装着するため、前記装着部の軸方向に間隔をおいて複数の弾性片（複数の第１及び第２の弾性片）を形成してもよい。例えば、装着部の上下両壁部のうち少なくとも一方の壁部（特に上壁部）において装着部の軸方向に間隔をおいて複数の第１の弾性片を形成し、前記装着部の両側壁部のうち少なくとも一方の側壁部において装着部の軸方向に間隔をおいて複数の第２の弾性片を形成してもよい。第１の複数の弾性片の列及び第２の複数の弾性片の列において、第１及び第２の複数の弾性片（バネ片、屈曲片）は、上下壁部及び両側壁部において、軸方向に同じ又は異なる間隔で形成してもよい。また、第１及び第２の複数の弾性片（バネ片、屈曲片）は、周方向の同じ線上に形成してもよく、軸方向に異なる周方向の線上に形成してもよい。例えば、第１の複数の弾性片の列及び第２の複数の弾性片の列において、第１の弾性片と第２の弾性片とは軸方向において千鳥状に形成してもよい。第１及び第２の弾性片の数は、装着部のサイズなどに応じて選択でき特に制限されない。第１及び第２の弾性片の数は、装着部の各壁部において、それぞれ、２〜５、特に２〜３程度であってもよい。
【００４４】
好ましい態様では、キャップ部材が支持体の軸方向に対して交差する方向にぐらつくのを抑制するため、前記装着部の軸方向に間隔をおいて２以上（例えば、２〜３程度）の弾性片を形成するのが好ましい。さらに好ましい態様では、前記装着部の周方向に間隔をおいて３以上（例えば、３〜５程度）の弾性片を形成し、前記装着部の軸方向に間隔をおいて２以上（例えば、２〜３程度）の弾性片を形成するのが好ましい。
【００４５】
複数の弾性片（第１及び第２の弾性片）は、それぞれ前記装着部の軸方向に延び、かつストッパ部側が立ち上がった形態又は起立した形態（舌片状の形態）を有している。換言すれば、第１及び第２の弾性片は、前記装着部の後端部方向（ストッパ部の方向）に向かって舌片状に起立して形成されており、前記装着部の先端部方向に向かって下降又は狭まって舌片状の形態で起立して形成されている。バネ弾性を付与するため、第１及び第２の弾性片は、通常、装着部の軸線に対して直交する方向に起立するよりも前記装着部の先端からキャップ部の方向にいくにつれてストッパ部側が斜め方向に起立して屈曲した形態を有している。例えば、第１及び第２の弾性片（バネ片、起立片）は、先端部側を残して上下壁部及び両側部がそれぞれコ字状及びＬ字状に切り抜かれ、かつストッパ部側が斜め方向に起立した舌片状の形態を有している。なお、弾性片の先端部は、装着部の軸線に対して斜め方向に延びていてもよく、装着部の軸線に対して斜め方向に延びる傾斜部を経て装着部の軸方向に平行に屈曲していてもよく、装着部側に向かって屈曲（例えば、アール状に屈曲）していてもよい。
【００４６】
第１及び第２の弾性片の傾斜角度は、弾性片の弾性変形の程度に応じて選択でき、例えば、５〜６０°程度の範囲から選択でき、通常、１０〜４５°（例えば、１５〜３０°）程度であってもよい。なお、傾斜角度は、弾性片の基部（壁部と一体化した部位）と先端部とを結ぶ直線と壁部との角度を意味する。
【００４７】
さらに、軸方向に複数の弾性片を有するキャップ部材において、支持部材の中空部の内壁に装着部を緊密に装着するためには、前記装着部の先端部側の弾性片よりもストッパ部側の弾性片の曲げ力を大きく形成するのが有利である。弾性片の曲げ力（変形応力）は、装着部のストッパ部側の弾性片よりも先端部側の弾性片の幅を小さくすることにより、先端部側の弾性片を弾性変形しやすくしてもよい。成形加工などの点からは、弾性片の長さにより弾性片の曲げ力（変形応力）を調整するのが有利である。このような場合、装着部の先端部側の弾性片の軸方向の長さと、ストッパ部側の弾性片の軸方向の長さとの割合は、５／５〜８／２程度の範囲から選択でき、６／４〜７／３程度であってもよい。
【００４８】
支持部材の中空部の内壁に対して装着部が遊離するのを防止するため、装着部の側壁部には凸部を形成してもよい。図５は本発明のキャップ部材のさらに他の例を示す概略斜視図である。この例において、キャップ部材は前記図１〜図３に示すのと同様の構造を有しており、装着部７の両側壁部７ｂのうちストッパ部１０側の両側壁部には、幅方向に間隔をおいて複数の凸部２１が形成されている。このようなキャップ部材では、支持体５の中空部の寸法サイズの変動を弾性片８ａ，８ｂ，９ａ，９ｂの弾性変形だけでは吸収できず、支持体５とキャップ部材との間に遊びが生じ、支持体５に対するキャップ部材のぐらつきが生じても、凸部２１を支持体５の中空部の内壁に接触させることができる。そのため、支持体５の中空部の寸法サイズの変動が大きくても、キャップ部材を緊密に装着できる。
【００４９】
なお、凸部は両側壁部に限らず装着部の壁部の適所に形成できる。凸部の高さは、支持部材の中空部の内径の変動の態度、弾性片の変形の程度などに応じて、支持部材の中空部の内壁と接触可能な範囲から選択できる。また、凸部は、溶着や接着などの手段を利用して、金属で形成してもよく、プラスチックやゴムなどで形成してもよい。
【００５０】
支持部材は、支持部材の端部を掛止又は係止して横方向に架設する場合がある。このような場合、支持部材の長さが短いと、両端部を掛止又は係止できなくなる。このような場合、長さを調整するためのアジャスタスリーブを利用するのが好ましい。図６は本発明のキャップ部材の別の例を示す概略斜視図である。
【００５１】
この例において、キャップ部材は、ポリアミド系樹脂などの靱性を有するプラスチックで形成され、装着部７に装着可能なリング状部材（スリーブ）２２を備えている。このリング状部材２２は、所定の厚みを有する四角形のリング状（又は四角枠状）に形成され、装着部７に対する装着を容易にするため、一部がスリット２２ａにより切離されている。リング状部材（スリーブ）２２は、支持部材５の端部とキャップ部材のストッパ部１０との間に介在させるため、装着部７の軸方向のうちストッパ部１０側（ストッパ部１０の内側）に装着可能である。
【００５２】
このようなリング状部材（スリーブ）２２を用いると、リング状部材の厚みの分だけ支持部材５の長さを実質的に長くできる。特に、支持部材５の端部とキャップ部材のストッパ部１０との間にリング状部材２２が介在していても、支持部材５に対してキャップ部材が緊密に装着されているため、全体としての強度などが低下することもない。
【００５３】
なお、ゴムやエラストマーなどの軟質又は伸縮性材料で形成する場合には、前記リング状部材（スリーブ）は必ずしも切離されている必要はない。好ましいリング状部材は、靱性の高い材料、例えば、ポリアミド系樹脂、ＡＢＳ樹脂などのスチレングラフト共重合体、ポリカーボネート系樹脂などのプラスチックで形成されているのが好ましい。リング状部材の形状は装着部の形状に応じて選択できる。また、リング状部材の厚みは特に制限されず、例えば、２〜１０ｍｍ（例えば、２〜５ｍｍ）程度であってもよい。
【００５４】
本発明のキャップ部材は、前記陳列ユニットの支持体に限らず横方向に配設可能な種々の支持体に適用できる。例えば、キャップ部材は、キャスターなどを備えていてもよいハンガーラックにおいて、支柱により支持され、衣服類がハンガーのフック部を利用して掛止される支持体の少なくとも一方の端部（例えば、両端部）に装着してもよく、前記フックバー１１と同様の形態を有し、商品が掛止される支持体（ハンガーなど）の端部に装着してもよい。図７は本発明が適用される支持体の他の例を示す概略斜視図である。
【００５５】
この支持体（ハンガーフック）３１は、前記フックバー１１と同様に、前記図１に示すのと同様の支持体５に対して挿入又は装着可能な断面コ字状の装着部３３と、この装着部から平坦部を経て前方方向に下降して延び、かつ断面四角形状の中空の棒状係止支持体３２と、この係止支持体の長手方向に所定間隔毎に形成された突起状又はピン状係止部３４を備えており、傾斜ハンガーフックを形成している。なお、装着部３３はネジなどに固定部材で支持体に固定できる。そして、係止支持体３２の端部の開口部には、前記と同様の構造を有するキャップ部材３６が装着されている。
【００５６】
このような支持体（係止支持体３２）において中空部の寸法サイズが異なっていても、支持部材３２の端部の中空部（開口端部）にキャップ部材３６を緊密に装着できる。また、係止支持体３２の係止部３４により、複数の商品をずれることなく掛止して陳列できる。
【００５７】
なお、前記支持体（ハンガーフック）は必ずしも傾斜部を有する必要はない。また、係止部も必要ではないが、係止部を利用して商品を区分すると商品の陳列及び選択に便利である。また、支持体に対する装着部の構造及び取り付け手段は特に制限されず、種々の取り付け又は固定機構が利用できる。さらに、前記のように、支持体の形態は前記断面四角形状の支持体に限定されず、種々の棒状支持体に適用できる。
【産業上の利用可能性】
【００５８】
本発明は、陳列ユニット（又は陳列ケース）において横方向に配設される棒状支持部材の中空部の寸法サイズが異なっていても、支持部材の端部にキャップ部材を緊密に装着できる。また、リング状部材を利用すると、棒状支持部材の長さを調整することもできる。そのため、陳列棚、キャビネット、ハンガーラックなどを含む商品の陳列ユニット（陳列ケース又は陳列装置、陳列構造）を形成するのに有用である。
【図面の簡単な説明】
【００５９】
【図１】図１は本発明のキャップ部材を備えた陳列ユニットを示す概略斜視図である。
【図２】図２は図１の陳列ユニットを示す概略斜視図である。
【図３】図３は図１のキャップ部材を示す概略斜視図である。
【図４】図４は本発明のキャップ部材の他の例を示す概略斜視図である。
【図５】図５は本発明のキャップ部材のさらに他の例を示す概略斜視図である。
【図６】図６は本発明のキャップ部材の別の例を示す概略斜視図である。
【図７】図７は本発明が適用される支持体の他の例を示す概略斜視図である。
【符号の説明】
【００６０】
２ａ，２ｂ…支柱
４…プレート状のブラケット
５…棒状支持部材
６，３６…キャップ部材
７，１７…装着部
７ａ…上壁部
７ｂ１７ｂ…両側壁部
８ａ，８ｂ，１８ａ，１８ｂ…第１の弾性片
９ａ，９ｂ，１９ａ，１９ｂ…第２の弾性片
１０…ストッパ部
１１…フックバー
１７ａ…下壁部
２１…凸部
２２…リング状部材
【図１】
2010046273.tif 000003
【図２】
2010046273.tif 000004
【図３】
2010046273.tif 000005
【図４】
2010046273.tif 000006
【図５】
2010046273.tif 000007
【図６】
2010046273.tif 000008
【図７】
2010046273.tif 000009